(57)【要約】【課題】未発見の迷子等を捜索する際の支援に有用な通信システム及び携帯通信装置、並びに通信システム用サーバーを提供すること。【解決手段】子供用携帯通信装置２ａ、２ｂ等の捜索依頼をサーバー３が取得したら、サーバー３は、親用携帯通信装置１Ａ、１Ｂ等に対して捜索依頼に関する情報を送信する。親用携帯通信装置１Ａ、１Ｂ等は、自身に対応付けられている子供用携帯通信装置２ａ、２ｂ等に捜索依頼に関する情報を送信するとともに、捜索依頼の対象となっている子供用携帯通信装置についての情報をサーバー３に送信する。捜索依頼に関する情報を受信した子供用携帯通信装置２ａ、２ｂ等は、自身に対応付けられた親用携帯通信装置１Ａ、１Ｂ等に、捜索依頼の対象となっている子供用携帯通信装置についての情報を送信する。【選択図】図１
2011154571.tif 000002
【特許請求の範囲】
【請求項１】
他の携帯通信装置と直接通信可能な短距離無線通信手段を有する複数の第１携帯通信装置、並びに他の携帯通信装置と直接通信可能な短距離無線通信手段を有する複数の第２携帯通信装置と、
前記複数の第１携帯通信装置に関する情報を記憶するサーバーと、を有し、
前記複数の第２携帯通信装置又は前記複数の第１携帯通信装置は、それぞれの前記短距離無線通信手段を用いて、他の第２携帯通信装置と通信して、他の第２携帯通信装置の少なくとも識別情報を取得するとともに、当該取得した識別情報を、取得した時間と対応付けて記憶し、
少なくとも一つの前記第２携帯通信装置の捜索依頼を前記サーバーが取得したら、前記サーバーは、前記複数の第１携帯通信装置に対して前記捜索依頼に関する情報を送信し、
前記捜索依頼に関する情報を受信した第１携帯通信装置は、前記捜索依頼の対象となっている第２携帯通信装置についての情報を前記サーバーに送信する、
ことを特徴とする通信システム。
【請求項２】
前記捜索依頼に関する情報を受信した第１携帯通信装置は、さらに、自身に対応付けられている第２携帯通信装置に前記捜索依頼に関する情報を送信し、
前記捜索依頼に関する情報を受信した第２携帯通信装置は、自身に対応付けられた第１携帯通信装置、又は前記サーバーに、前記捜索依頼の対象となっている第２携帯通信装置についての情報を送信する、
請求項１に記載の通信システム。
【請求項３】
前記短距離無線通信手段を用いた通信は、
定期的に、所定の時間実行される、
請求項２に記載の通信システム。
【請求項４】
前記短距離無線通信手段を用いた通信は、
前記複数の第２携帯通信装置及び前記複数の第１携帯通信装置がアクセス可能な基地局から発信される基準時間に基づいて実行される、
請求項３に記載の通信システム。
【請求項５】
前記捜索依頼の対象となっている第２携帯通信装置についての情報を送信した、前記第１携帯通信装置又は前記第２携帯通信装置は、
それぞれ、前記捜索依頼の対象となっている第２携帯通信装置との通信を試み、
前記捜索依頼の対象となっている第２携帯通信装置との通信が確立できたら、前記捜索依頼の対象となっている第２携帯通信装置の少なくとも識別情報を取得して送信する、
請求項２から４のいずれか１項に記載の通信システム。
【請求項６】
前記識別情報を取得した第１携帯通信装置は、取得した情報を前記サーバーに送信し、
前記識別情報を取得した第２携帯通信装置は、自身に対応付けられた第１携帯通信装置、又は前記サーバーに取得した情報を送信する、
請求項５に記載の通信システム。
【請求項７】
他の携帯通信装置と直接通信可能な短距離無線通信手段を有する複数の第１携帯通信装置、並びに他の携帯通信装置と直接通信可能な短距離無線通信手段、及び自身の位置を検出する位置情報検出手段を有する複数の第２携帯通信装置と、
前記複数の第１携帯通信装置に関する情報を記憶するサーバーと、を有し、
少なくとも一つの前記第２携帯通信装置の捜索依頼を前記サーバーが取得したら、前記サーバーは、前記複数の第１携帯通信装置に対して前記捜索依頼に関する情報を送信し、
前記捜索依頼に関する情報を取得した前記第２携帯通信装置又は前記複数の第１携帯通信装置は、それぞれ、前記捜索依頼の対象となっている第２携帯通信装置との通信を試み、前記捜索依頼の対象となっている第２携帯通信装置との通信が確立できたら、前記捜索依頼の対象となっている第２携帯通信装置の識別情報及び位置情報を取得して送信する、
ことを特徴とする通信システム。
【請求項８】
少なくとも前記識別情報を取得した第１携帯通信装置は、
取得した情報を前記サーバーに送信し、前記識別情報及び前記位置情報を取得した第２携帯通信装置は、自身に対応付けられた第１携帯通信装置、又は前記サーバーに取得した情報を送信する、
請求項７に記載の通信システム。
【請求項９】
複数の携帯通信装置を集団管理する際に用いる携帯通信装置であり、
サーバーと通信可能な第１通信手段と、
他の携帯通信装置と直接通信可能な第２通信手段と、
情報を記憶する記憶部と、
前記第２通信手段を用いて他の携帯通信装置と通信して、当該他の携帯通信装置の少なくとも識別情報を取得するとともに、取得した時間と対応付けて前記記憶部へ記憶させ、
集団管理される携帯通信装置に対応付けられた携帯通信装置の捜索依頼に関する情報を受信したら、自身に対応付けられている携帯通信装置に前記捜索依頼に関する情報を送信するとともに、前記捜索依頼の対象となっている携帯通信装置についての情報を、前記第１通信手段を介して前記サーバーへ送信する制御手段と、
を含むことを特徴とする携帯通信装置。
【請求項１０】
集団管理される複数の携帯通信装置とそれぞれ対応付けられた携帯通信装置であり、
サーバーと通信可能な第１通信手段と、
他の携帯通信装置と直接通信可能な第２通信手段と、
情報を記憶する記憶部と、
前記第２通信手段を用いて他の携帯通信装置と通信して、当該他の携帯通信装置の少なくとも識別情報を取得するとともに、取得した時間と対応付けて前記記憶部へ記憶させ、
集団管理される携帯通信装置に対応付けられた携帯通信装置の捜索依頼に関する情報を、自身に対応付けられている携帯通信装置から受信したら、前記捜索依頼の対象となっている携帯通信装置についての情報を、前記第１通信手段を介して送信する制御手段と、
を含むことを特徴とする携帯通信装置。
【請求項１１】
複数の携帯通信装置を集団管理する際に用いる携帯通信装置であり、
サーバーと通信可能な第１通信手段と、
他の携帯通信装置と直接通信可能な第２通信手段と、
情報を記憶する記憶部と、
集団管理される携帯通信装置に対応付けられた携帯通信装置の捜索依頼に関する情報を取得したら、前記捜索依頼の対象となっている携帯通信装置との通信を試み、
前記捜索依頼の対象となっている携帯通信装置との通信が確立できたら、捜索依頼の対象となっている携帯通信装置の識別情報及び位置情報を取得する制御手段と、
を含むことを特徴とする携帯通信装置。
【請求項１２】
複数の携帯通信装置を集団管理するサーバーであり、
前記複数の携帯通信装置に関する情報を記憶する記憶部と、
集団管理される携帯通信装置に対応付けられた携帯通信装置の捜索依頼に関する情報を取得したら、前記複数の携帯通信装置に対して前記捜索依頼に関する情報を送信し、
前記捜索依頼に関する情報を受信した、集団管理される携帯通信装置、及び当該集団管理される携帯通信装置から前記捜索依頼に関する情報を受信した携帯通信装置から、前記捜索依頼の対象となっている携帯通信装置についての情報を取得する処理部と、
を含むことを特徴とする通信システム用サーバー。
【請求項１３】
前記処理部は、
前記捜索依頼の対象となっている携帯通信装置についての情報を取得した後に、前記捜索依頼に関する情報を発信した携帯通信装置に対して、捜索支援情報を送信する請求項１２に記載の通信システム用サーバー。
【発明の詳細な説明】
【技術分野】
【０００１】
本発明は、複数の携帯通信装置を管理するとともに、必要に応じて一群の携帯通信装置の行方を捜索する際の手助け（支援）をする技術に関する。
【背景技術】
【０００２】
迷子が発生したときに、携帯電話機を使用して迷子の捜索を支援する技術がある。例えば、特許文献１には、予め情報の記録された迷子ワッペンを入場者の迷子対象者および保護者に所持させ、迷子発生時に、会場係員や保護者が所持する携帯端末により迷子ワッペンの情報を読み取り、迷子保護情報や迷子届を電子メールで管理サーバへ送信し、管理サーバと前記携帯端末との間の電子メールの授受によって前記迷子を探索して保護する迷子支援方法が開示されている。
【先行技術文献】
【特許文献】
【０００３】
【特許文献１】特開２００７−０１１５５５号公報［００１２］
【発明の概要】
【発明が解決しようとする課題】
【０００４】
特許文献１に開示された技術は、迷子ワッペンを予め配布するため、テーマパーク等では有効であるが、日常生活においては不便である。また、特許文献１に開示された技術は、迷子が保護され、保護者が引き取りに行くことが必要であり、保護されていない迷子を捜索する際の支援には不十分である。本発明は、未発見の迷子等を捜索する際の支援に有用な通信システム及び携帯通信装置、並びに通信システム用サーバーを提供することを目的とする。
【課題を解決するための手段】
【０００５】
本発明は、他の携帯通信装置と直接通信可能な短距離無線通信手段を有する複数の第１携帯通信装置、並びに他の携帯通信装置と直接通信可能な短距離無線通信手段を有する複数の第２携帯通信装置と、前記複数の第１携帯通信装置に関する情報を記憶するサーバーと、を有し、前記複数の第２携帯通信装置又は前記複数の第１携帯通信装置は、それぞれの前記短距離無線通信手段を用いて、他の第２携帯通信装置と通信して、他の第２携帯通信装置の少なくとも識別情報を取得するとともに、当該取得した識別情報を、取得した時間と対応付けて記憶し、少なくとも一つの前記第２携帯通信装置の捜索依頼を前記サーバーが取得したら、前記サーバーは、前記複数の第１携帯通信装置に対して前記捜索依頼に関する情報を送信し、前記捜索依頼に関する情報を受信した第１携帯通信装置は、前記捜索依頼の対象となっている第２携帯通信装置についての情報を前記サーバーに送信する、ことを特徴とする通信システムである。
【０００６】
本発明の望ましい態様として、前記捜索依頼に関する情報を受信した第１携帯通信装置は、さらに、自身に対応付けられている第２携帯通信装置に前記捜索依頼に関する情報を送信し、前記捜索依頼に関する情報を受信した第２携帯通信装置は、自身に対応付けられた第１携帯通信装置、又は前記サーバーに、前記捜索依頼の対象となっている第２携帯通信装置についての情報を送信する、ことが好ましい。
【０００７】
本発明の望ましい態様として、前記短距離無線通信手段を用いた通信は、定期的に、所定の時間実行される、ことが好ましい。
【０００８】
本発明の望ましい態様として、前記短距離無線通信手段を用いた通信は、前記複数の第２携帯通信装置及び前記複数の第１携帯通信装置がアクセス可能な基地局から発信される基準時間に基づいて実行される、ことが好ましい。
【０００９】
本発明の望ましい態様として、前記捜索依頼の対象となっている第２携帯通信装置についての情報を送信した、前記第１携帯通信装置又は前記第２携帯通信装置は、それぞれ、前記捜索依頼の対象となっている第２携帯通信装置との通信を試み、前記捜索依頼の対象となっている第２携帯通信装置との通信が確立できたら、前記捜索依頼の対象となっている第２携帯通信装置の少なくとも識別情報を取得して送信する、ことが好ましい。
【００１０】
本発明の望ましい態様として、前記識別情報を取得した第１携帯通信装置は、取得した情報を前記サーバーに送信し、前記識別情報を取得した第２携帯通信装置は、自身に対応付けられた第１携帯通信装置、又は前記サーバーに取得した情報を送信する、ことが好ましい。
【００１１】
本発明は、他の携帯通信装置と直接通信可能な短距離無線通信手段を有する複数の第１携帯通信装置、並びに他の携帯通信装置と直接通信可能な短距離無線通信手段、及び自身の位置を検出する位置情報検出手段を有する複数の第２携帯通信装置と、前記複数の第１携帯通信装置に関する情報を記憶するサーバーと、を有し、少なくとも一つの前記第２携帯通信装置の捜索依頼を前記サーバーが取得したら、前記サーバーは、前記複数の第１携帯通信装置に対して前記捜索依頼に関する情報を送信し、前記捜索依頼に関する情報を取得した前記第２携帯通信装置又は前記複数の第１携帯通信装置は、それぞれ、前記捜索依頼の対象となっている第２携帯通信装置との通信を試み、前記捜索依頼の対象となっている第２携帯通信装置との通信が確立できたら、前記捜索依頼の対象となっている第２携帯通信装置の識別情報及び位置情報を取得して送信する、ことを特徴とする通信システムである。
【００１２】
本発明の望ましい態様として、少なくとも前記識別情報を取得した第１携帯通信装置は、取得した情報を前記サーバーに送信し、前記識別情報及び前記位置情報を取得した第２携帯通信装置は、自身に対応付けられた第１携帯通信装置、又は前記サーバーに取得した情報を送信する、ことが好ましい。
【００１３】
本発明は、複数の携帯通信装置を集団管理する際に用いる携帯通信装置であり、サーバーと通信可能な第１通信手段と、他の携帯通信装置と直接通信可能な第２通信手段と、情報を記憶する記憶部と、前記第２通信手段を用いて他の携帯通信装置と通信して、当該他の携帯通信装置の少なくとも識別情報を取得するとともに、取得した時間と対応付けて前記記憶部へ記憶させ、集団管理される携帯通信装置に対応付けられた携帯通信装置の捜索依頼に関する情報を受信したら、自身に対応付けられている携帯通信装置に前記捜索依頼に関する情報を送信するとともに、前記捜索依頼の対象となっている携帯通信装置についての情報を、前記第１通信手段を介して前記サーバーへ送信する制御手段と、を含むことを特徴とする携帯通信装置である。
【００１４】
本発明は、集団管理される複数の携帯通信装置とそれぞれ対応付けられた携帯通信装置であり、サーバーと通信可能な第１通信手段と、他の携帯通信装置と直接通信可能な第２通信手段と、情報を記憶する記憶部と、前記第２通信手段を用いて他の携帯通信装置と通信して、当該他の携帯通信装置の少なくとも識別情報を取得するとともに、取得した時間と対応付けて前記記憶部へ記憶させ、集団管理される携帯通信装置に対応付けられた携帯通信装置の捜索依頼に関する情報を、自身に対応付けられている携帯通信装置から受信したら、前記捜索依頼の対象となっている携帯通信装置についての情報を、前記第１通信手段を介して送信する制御手段と、を含むことを特徴とする携帯通信装置である。
【００１５】
本発明は、複数の携帯通信装置を集団管理する際に用いる携帯通信装置であり、サーバーと通信可能な第１通信手段と、他の携帯通信装置と直接通信可能な第２通信手段と、情報を記憶する記憶部と、集団管理される携帯通信装置に対応付けられた携帯通信装置の捜索依頼に関する情報を取得したら、前記捜索依頼の対象となっている携帯通信装置との通信を試み、前記捜索依頼の対象となっている携帯通信装置との通信が確立できたら、捜索依頼の対象となっている携帯通信装置の識別情報及び位置情報を取得する制御手段と、を含むことを特徴とする携帯通信装置である。
【００１６】
本発明は、複数の携帯通信装置を集団管理するサーバーであり、前記複数の携帯通信装置に関する情報を記憶する記憶部と、集団管理される携帯通信装置に対応付けられた携帯通信装置の捜索依頼に関する情報を取得したら、前記複数の携帯通信装置に対して前記捜索依頼に関する情報を送信し、記捜索依頼に関する情報を受信した、集団管理される携帯通信装置、及び当該集団管理される携帯通信装置から前記捜索依頼に関する情報を受信した携帯通信装置から、前記捜索依頼の対象となっている携帯通信装置についての情報を取得する処理部と、を含むことを特徴とする通信システム用サーバーである。
【００１７】
本発明の望ましい態様として、前記処理部は、前記捜索依頼の対象となっている携帯通信装置についての情報を取得した後に、前記捜索依頼に関する情報を発信した携帯通信装置に対して、捜索支援情報を送信することが好ましい。
【発明の効果】
【００１８】
本発明は、未発見の迷子等を捜索する際の支援に有用な通信システム及び携帯通信装置、並びに通信システム用サーバーを提供できる。
【図面の簡単な説明】
【００１９】
【図１】図１は、本実施形態に係る通信システムの概略構成を示す図である。
【図２】図２は、本実施形態に係る通信システムが有するサーバーが管理する親用携帯通信装置の情報の一例を示す情報テーブルである。
【図３】図３は、親用携帯通信装置の情報と子供用携帯通信装置の情報との対応関係を示す概念図である。
【図４】図４は、親用携帯通信装置の装置構成図である。
【図５】図５は、子供用携帯通信装置の装置構成図である。
【図６】図６は、通信システムが実行する情報収集処理の各工程を示すフローチャートである。
【図７】図７は、情報収集処理において短距離無線通信を実行するタイミングの説明図である。
【図８】図８は、情報収集処理において短距離無線通信を実行するタイミングの説明図である。
【図９】図９は、情報収集処理で実行される短距離無線通信の概念図である。
【図１０】図１０は、通信システムのサーバーが実行する捜索支援処理の各工程を示すフローチャートである。
【図１１】図１１は、通信システムの親用携帯通信装置が実行する捜索支援処理の各工程を示すフローチャートである。
【図１２】図１２は、通信システムの子供用携帯通信装置が実行する捜索支援処理の各工程を示すフローチャートである。
【図１３】図１３は、捜索支援処理の説明図である。
【図１４】図１４は、捜索支援処理の説明図である。
【図１５】図１５は、捜索依頼元に送信される捜索支援情報の概念図である。
【図１６】図１６は、本実施形態の変形例に係る捜索支援処理の説明図である。
【図１７】図１７は、捜索対象情報あるいは捜索依頼元に送信される捜索支援情報の概念図である。
【図１８】図１８は、親用携帯通信装置が実行する、実施形態２に係る捜索支援処理の各工程を示すフローチャートである。
【図１９】図１９は、子供用携帯通信装置が実行する、実施形態２に係る捜索支援処理の各工程を示すフローチャートである。
【発明を実施するための形態】
【００２０】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯通信装置の一例として、携帯電話機を取り上げるが、本発明の適用対象は携帯電話機に限定されるものではなく、例えば、ＰＨＳ（Personal Handyphone System）や通信機能を有するＰＤＡ（Personal Data Assistant）であってもよい。
【００２１】
（実施形態１）
例えば、防犯のために防犯端末や子供用携帯電話等の携帯通信装置を学校全体、あるいは自治体全体で一括して購入するケースが想定される。このような場合に、本実施形態では、Ｂｌｕｅｔｏｏｔｈ等の短距離無線通信技術を利用して、未発見の迷子を捜索する場合等の支援をするものである。すなわち、本実施形態では、親の携帯通信装置をサーバー等で集団管理するとともに、集団管理される親の携帯通信装置とそれぞれに対応する子供の携帯通信装置との間で、短距離無線通信を利用して定期的に子供の携帯通信装置の位置情報を取得し、携帯通信装置あるいはサーバーに蓄積しておく。そして、集団管理される親の携帯通信装置と対応する携帯通信装置を有する子供が迷子等になった場合であって、その捜索依頼があった場合は、蓄積された子供の携帯通信装置の位置情報により、未発見の迷子等の捜索を支援する。また、親の携帯通信装置と子供の携帯通信装置とは、常に対応付けられるので、この対応関係を利用して、親の携帯通信装置のみを集団管理することにより、子供の個人情報の漏洩をできる限り低減する。
【００２２】
図１は、本実施形態に係る通信システムの概略構成を示す図である。図１に示す通信システム１００は、複数の携帯通信装置（第１携帯通信装置）１Ａ、１Ｂ等を集団管理する。そして、通信システム１００は、集団管理される複数の携帯通信装置１Ａ、１Ｂ等それぞれに対応付けられた携帯通信装置（第２携帯通信装置）２ａ、２ｂ等の捜索依頼があった場合には、捜索依頼の対象となっているものの行方を捜索する際の手助け（支援）をするものである。
【００２３】
図１に示すように、通信システム１００は、複数の携帯通信装置１Ａ、１Ｂ等と、複数の携帯通信装置２ａ、２ｂ等と、サーバー３と、を有する。本実施形態において、複数の第１携帯通信装置１Ａ、１Ｂ等は、親が使用する携帯通信装置であり、以下においては親用携帯通信装置という。複数の第２携帯通信装置２ａ、２ｂ等は、子供が使用する携帯通信装置であり、以下においては子供用携帯通信装置という。親用携帯通信装置１Ａ、１Ｂ等と子供用携帯通信装置２ａ、２ｂ等とは、同じアルファベットが親子関係に対応しており、大文字が親、小文字が子供を表す。例えば、親用携帯通信装置１Ａは親Ａに使用されるものであり、親Ａの子供ａが子供用携帯通信装置２ａを使用する。このように、携帯通信装置を表す符号１、２に付されるアルファベットは、それぞれの携帯通信装置を識別するために便宜上付されたものである。
【００２４】
サーバー３は、処理部３Ｃと、記憶部３Ｍと、入出力部（ＩＯ）３Ｉとを有している。サーバー３は、入出力部３Ｉに接続される通信制御装置４を介して基地局５に接続される。基地局５は、親用携帯通信装置１Ａ、１Ｂ等や子供用携帯通信装置２ａ、２ｂ等からの電波を受信したり、親用携帯通信装置１Ａ、１Ｂ等や子供用携帯通信装置２ａ、２ｂ等へ電波を発信したりする。基地局５は、アンテナ５Ａと基準時刻を生成する基準時刻生成手段５Ｃとを有する。基準時刻生成手段５Ｃは、例えば、ＧＰＳ（Global Positioning System）時計、すなわち、ＧＰＳ用衛星に搭載される原子時計から取得した時刻を発信するものや、電波時計用の時刻を発信する基準局から取得した時刻を発信するものがある。通信制御装置４は、基地局５とサーバー３との間で、情報の変換や送受信の制御等を司るものである。
【００２５】
サーバー３が有する処理部３Ｃは、サーバー３の動作を制御して、サーバー３の機能を発揮させるものであり、ＭＰＵ（Micro Processing Unit）等のコンピュータである。記憶部３Ｍは、複数の親用携帯通信装置１Ａ、１Ｂ等に関する情報や、親用携帯通信装置１Ａ、１Ｂ等や子供用携帯通信装置２ａ、２ｂ等から送信された、通信システム１００で集団管理される親用携帯通信装置１Ａ、１Ｂ等及びこれらに対応する子供用携帯通信装置２ａ、２ｂ等の情報（位置情報、時間情報等）等を記憶し、蓄積する。記憶部３Ｍは、例えば、ＨＤＤ（Hard Disc Drive）装置等の二次記憶装置である。
【００２６】
図２は、本実施形態に係る通信システムが有するサーバーが管理する親用携帯通信装置の情報の一例を示す情報テーブルである。記憶部３Ｍが記憶する情報テーブル６は、複数の親用携帯通信装置１Ａ、１Ｂ等に関する情報が記述される。記憶部３Ｍは、サーバー３の構成要素であるので、サーバー３が、複数の親用携帯通信装置１Ａ、１Ｂに関する情報を記憶していると把握することができる。図２に示すように、情報テーブル６に記憶される複数の親用携帯通信装置１Ａ、１Ｂ等に関する情報は、名前（親の名前）、ＩＤ（親用携帯通信装置１Ａ、１Ｂ等の装置ＩＤ）、電話番号、メールアドレス等である。
【００２７】
図３は、親用携帯通信装置の情報と子供用携帯通信装置の情報との対応関係を示す概念図である。親用携帯通信装置１Ａ、１Ｂ等と子供用携帯通信装置２ａ、２ｂ等との対応関係は、親Ａとその子供ａとの親子関係に対応する。このため、通信システム１００において、親用携帯通信装置１Ａ、１Ｂ等と子供用携帯通信装置２ａ、２ｂ等とは常に対応付けられる。本実施形態において、通信システム１００は、親用携帯通信装置１Ａ、１Ｂ等に関する情報のみをサーバー３（より具体的には記憶部３Ｍ）に記憶させて、集団管理する。
【００２８】
サーバー３は、情報テーブル６に記述される情報、例えば、メールアドレスを用いて親用携帯通信装置１Ａ、１Ｂ等に直接アクセスできる。一方、サーバー３は、子供用携帯通信装置２ａ、２ｂ等に関する情報は記憶していないため、親用携帯通信装置１Ａ、１Ｂ等を介して、子供用携帯通信装置２ａ、２ｂ等に対してアクセスすることになる。このように、本実施形態において、サーバー３は、子供用携帯通信装置２ａ、２ｂ等に関する情報を有しておらず、また、子供用携帯通信装置２ａ、２ｂへ直接アクセスはできないため、子供用携帯通信装置２ａ、２ｂの情報が漏洩するおそれを低減できる。これによって、通信システム１００は、子供の個人情報の漏洩を効果的に抑制することができる。
【００２９】
それぞれの親用携帯通信装置１Ａ、１Ｂ等とそれぞれの子供用携帯通信装置２ａ、２ｂ等とは対応付けられる。サーバー３には、親用携帯通信装置１Ａ、１Ｂ等に関する情報のみが記憶されて、親用携帯通信装置１Ａ、１Ｂ等が直接集団管理されるが、上記の対応により、子供用携帯通信装置２ａ、２ｂ等もサーバー３によって、間接的に集団管理されることになる。なお、１台の親用携帯通信装置に対して、複数台の子供用携帯通信装置が対応付けられる場合もあり、１台の子供用携帯通信装置に複数台の親用携帯通信装置が対応付けられる場合もある。前者は、例えば、一方の親の親用携帯通信装置と複数人の子供の子供用携帯通信装置との関係であり、後者は、例えば、両親の親用携帯通信装置と一人の子供の子供用携帯通信装置との関係である。次に、親用携帯通信装置１Ａ、１Ｂ等及び子供用携帯通信装置２ａ、２ｂの構成を説明する。
【００３０】
図４は、親用携帯通信装置の装置構成図である。図５は、子供用携帯通信装置の装置構成図である。親用携帯通信装置１は、制御手段１０と、記憶手段１３と、端末アンテナ１１ａが接続される第１通信手段１１と、第２通信手段１２と、マイク１４と、スピーカ１５と、レシーバ１６と、表示手段１７と、操作手段１８とを有する。図５に示すように、子供用携帯通信装置２は、親用携帯通信装置１に位置情報検出手段１９を付加した点以外は親用携帯通信装置１と同様なので、位置情報検出手段１９以外については、親用携帯通信装置１についてのみ説明する。
【００３１】
制御手段１０は、親用携帯通信装置１の全体的な動作を統括的に制御する機能を有する。すなわち、制御手段１０は、親用携帯通信装置１の各種の処理が適切な手順で実行されるように、第１通信手段１１や第２通信手段１２や表示手段１７等の動作を制御する。親用携帯通信装置１の各種の処理としては、例えば、回線交換網を介して行われる音声通話、電子メールの作成及び送受信、インターネットのＷｅｂ（World Wide Web）サイトの閲覧や、捜索支援のための通信や情報収集等がある。
【００３２】
制御手段１０は、記憶手段１３に記憶されているプログラム（例えば、オペレーティングシステムプログラム、アプリケーションプログラム等）や、操作手段（例えば、操作キー）１８によって入力された操作に基づいて処理を実行する。また、制御手段１０は、マイク１４やレシーバ１６に入力される音声信号やスピーカ１５から出力される音声信号の処理を実行する。表示手段（例えば、液晶パネル）１７は、制御手段１０から供給される映像データに応じた映像や画像データに応じた画像を表示パネルに表示させる。
【００３３】
制御手段１０は、例えば、マイクロプロセッサユニット（ＭＰＵ：Micro Processing Unit）で構成され、本実施形態に係る捜索支援処理を実行するためのソフトウェアで指示された手順にしたがって上述した親用携帯通信装置１の各種の処理を実行する。すなわち、制御手段１０は、記憶手段１３に記憶されるオペレーティングシステムプログラムやアプリケーションプログラム等から命令コードを順次読み込んで処理を実行する。
【００３４】
記憶手段１３には、制御手段１０での処理に利用されるソフトウェアやデータが記憶されている。また、記憶手段１３には、捜索支援のために収集された情報が記憶される。なお、ソフトウェアの処理過程で用いられるコンピュータプログラムや一時的なデータは、制御手段１０によって記憶手段１３に割り当てられた作業領域へ一時的に記憶される。記憶手段１３は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００３５】
第１通信手段１１は、基地局によって割り当てられるチャネルを介し、基地局との間でＣＤＭＡ（Code Division Multiple Access）方式などによる無線信号回線を確立し、図１に示す基地局５との間で電話通信及び情報通信を行う。第１通信手段１１は、基地局５を介して、図１に示すサーバー３にアクセスして、両者間で情報のやり取りをすることができる。第２通信手段１２は、短距離無線通信手段であり、数ｍ〜数十ｍの距離で、携帯通信装置間で直接無線情報通信を行い、情報のやり取りをすることができる。このように、親用携帯通信装置１は、基地局を介した携帯通信装置間における通信と、基地局を介さない携帯通信装置間における直接通信との両方を実現することができる。
【００３６】
図５に示す子供用携帯通信装置２が有する位置情報検出手段１９は、例えば、ＧＰＳ衛星からの信号を取得して自身の位置を検出したり、複数の基地局の位置情報を取得して自身の位置を検出したりする。また、例えば、公園や電柱等の位置情報を記憶させたＩＣタグを、当該公園や電柱等に取り付けておき、その子供用携帯通信装置２がそのＩＣタグの近傍にきたときに、位置情報検出手段１９が当該ＩＣタグに記憶されている位置情報を読み出して、自身の位置を検出してもよい。位置情報検出手段１９が検出した自身の位置は、例えば、記憶手段１３に記憶されたり、制御手段１０が第２通信手段１２を介して他の子供用携帯通信装置２や図４に示す親用携帯通信装置１に送信したりする。
【００３７】
次に、本実施形態に係る捜索支援処理を説明する。これは、通信システム１００によって実現される。以下においては、複数の親用携帯通信装置１及び複数の子供用携帯通信装置２の群を、集団管理端末群という。また、集団管理端末群の中における親用携帯通信装置１や子供用携帯通信装置２を区別しない場合、必要に応じて群内端末装置という。
【００３８】
本実施形態に係る捜索支援処理は、情報収集処理と、捜索支援処理とを含んでいる。通信システム１００は、情報収集処理と、捜索支援処理とを実行して、未発見の迷子等の捜索を支援する。情報収集処理は、迷子等の捜索依頼が発生する前に、親用携帯通信装置１や子供用携帯通信装置２が、自身以外の位置情報を取得し、取得した時間に対応させて自身の記憶手段１３やサーバー３に蓄積しておく処理である。捜索支援処理は、迷子等の捜索依頼があった場合には、蓄積された位置情報から、捜索対象の子供用携帯通信装置２の位置情報を抽出して、例えば、捜索依頼の依頼元（捜索依頼元）に送信することにより、迷子等の捜索の支援をする処理である。
【００３９】
図６は、通信システムが実行する情報収集処理の各工程を示すフローチャートである。図７、図８は、情報収集処理において短距離無線通信を実行するタイミングの説明図である。図９は、情報収集処理で実行される短距離無線通信の概念図である。本実施形態において、情報収集処理は、常時実行される訳ではなく、定期的に、所定の時間実行される。常時情報収集処理を実行すると、親用携帯通信装置１や子供用携帯通信装置２の電力の消費が激しくなる。このため、定期的に、所定の時間情報収集処理を実行することにより、電力の消費の増加を抑制する。なお、電力の消費が問題にならない場合は、常時情報収集処理を実行してもよい。この場合、得られる情報が多くなるので、未発見の迷子等の捜索においては、捜索対象の特定精度が向上する。
【００４０】
情報収集処理においては、第２通信手段１２で他の携帯通信装置と通信するが、通信時においては、通信対象同士の通信ポートが開いている必要がある。このため、通信システム１００においては、通信時刻になったら、集団管理されている複数の親用携帯通信装置１及びこれらに対応付けられた子供用携帯通信装置２が同時に通信可能な状態になっている必要がある。
【００４１】
情報収集処理を実行するにあたり、ステップＳ１０１において、それぞれの親用携帯通信装置１の制御手段１０及び子供用携帯通信装置２の制御手段１０は、情報収集処理における通信時刻になったか否かを判定する。このとき、それぞれの制御手段１０は、第１通信手段１１を介して、図１に示す基地局５の基準時刻生成手段５Ｃを取得し、通信時刻になったか否かを判定する。通信時刻は、例えば、１分毎とし、通信時間は、例えば、１秒〜１５秒とする。すなわち、情報収集処理において、複数の親用携帯通信装置１及びこれらに対応付けられた子供用携帯通信装置２は、第２通信手段１２を用いて、毎分毎に所定時間、通信して情報を取得する。このようにすることで、集団管理端末群は、決まった時刻に確実に通信可能な状態となるので、電力の消費を抑制できるとともに、情報の収集漏れを低減できる。
【００４２】
各群内端末装置の制御手段１０が通信時刻でないと判定した場合（ステップＳ１０１、Ｎｏ）、ＳＴＡＲＴに戻る。各群内端末装置の制御手段１０が通信時刻であると判定した場合（ステップＳ１０１、Ｙｅｓ）、ステップＳ１０２へ進み、各群内端末装置の制御手段１０は、経過時間ｔを０に設定する。そして、ステップＳ１０３において、各群内端末装置の制御手段１０は、経過時間ｔのカウントを開始してから、ステップＳ１０４に進み、各群内端末装置の第２通信手段１２を用いて、他の群内端末装置との通信を開始する。
【００４３】
ステップＳ１０５において、各群内端末装置の制御手段１０は、他の群内端末装置との通信が確立したか否かを判定する。各群内端末装置の制御手段１０が、通信は確立していないと判定した場合（ステップＳ１０５、Ｎｏ）、ステップＳ１０６へ進む。ステップＳ１０６において、通信の確立していない群内端末装置の制御手段１０は、経過時間ｔが通信可能時間ｔｃ以下か否かを判定する。通信可能時間ｔｃは、情報収集処理において、通信時刻になってから第２通信手段１２による通信が可能となる時間であり、例えば、１秒〜１５秒に設定される。すなわち、情報収集処理においては、通信時刻から通信可能時間ｔｃの間が、第２通信手段１２による通信が可能となる時間となる。
【００４４】
通信の確立していない群内端末装置の制御手段１０が、ｔ≦ｔｃであると判定した場合（ステップＳ１０６、Ｙｅｓ）、通信の確立していない群内端末装置の制御手段１０は、ｔ≦ｔｃとなるまで第２通信手段１２による通信を試みる。通信の確立していない群内端末装置の制御手段１０が、ｔ＞ｔｃであると判定した場合（ステップＳ１０６、Ｎｏ）、ＳＴＡＲＴに戻り、再び情報収集処理を開始する。
【００４５】
各群内端末装置の制御手段１０が、通信は確立したと判定した場合（ステップＳ１０５、Ｙｅｓ）、ステップＳ１０７へ進み、通信が確立した群内端末装置同士の制御手段１０は、それぞれの第２通信手段１２を介して通信対象の群内端末装置の少なくとも識別情報を取得する。本実施形態では、識別番号及び位置情報の両方を取得する。ここで識別情報とは、親用携帯通信装置１や子供用携帯通信装置２を識別するための情報であり、例えば、装置ＩＤである。位置情報は、情報取得時における親用携帯通信装置１や子供用携帯通信装置２の位置を示す情報であり、例えば、緯度及び経度や、住所等である。位置情報は、子供用携帯通信装置２の位置情報検出手段１９によって検出される。位置情報も取得することにより、迷子等の捜索支援においては、捜索依頼の対象となっている子供用携帯通信装置２の位置や軌跡を特定するのに極めて有効であるため、識別情報のみを取得するよりも好ましい。ステップＳ１０７において、通信が確立した群内端末装置同士の制御手段１０は、識別情報及び位置情報を取得した後、通信可能時間ｔｃが経過していなければ、さらに別の群内端末装置と通信を確立して、識別情報及び位置情報を取得してもよい。
【００４６】
本実施形態では、図７に示すように、通信可能時間ｔｃが経過するまでは、群内端末装置間（この例では親用携帯通信装置１と子供用携帯通信装置２間）で通信が可能となるとともに、ステップＳ１０６においては、他の群内端末装置と通信を試みることになる。そして、図８に示すように、通信可能時間ｔｃが経過すると、群内端末装置間（この例では親用携帯通信装置１と子供用携帯通信装置２間）での通信はしないこととし、ステップＳ１０６においては、他の群内端末装置との通信は試みない。このように、本実施形態では、情報収集処理における通信を開始する時刻から所定の時間（通信可能時間ｔｃ）を、第２通信手段１２を用いた短距離無線通信に割り当てることで、群内端末装置の電力消費を抑制する。
【００４７】
図９に示す例では、例えば、親用携帯通信装置１Ａは親用携帯通信装置１Ｃ及び子供用携帯通信装置２ｂと通信が確立できるので、所定の優先順位（例えば、先に通信が確立した方）にしたがって選択された方との間で互いに識別情報及び位置情報を送受信する。また、親用携帯通信装置１Ｂは子供用携帯通信装置２ａと通信が確立できるので、両者間で互いに識別情報及び位置情報を送受信する。
【００４８】
情報収集処理では、短距離無線通信手段である第２通信手段１２を用いる。図９に示すＣＡ１は、親用携帯通信装置１Ａが有する第２通信手段１２の通信可能範囲であり、ＣＡ２は、子供用携帯通信装置２ａが有する第２通信手段１２の通信可能範囲である。例えば、第２通信手段１２の通信可能距離は数ｍ〜数十ｍなので、通信可能範囲ＣＡ１、ＣＡ２は、半径数ｍ〜数十ｍの円内となる。図９に示す例では、子供用携帯通信装置２ｂがいずれの通信可能範囲ＣＡ１、ＣＡ２にも属していない。情報収集処理に短距離無線通信手段を用いることにより、通信が確立した相手は、自身を中心とした半径数ｍ〜数十ｍの円内に存在していることになる。したがって、群内端末装置が通信相手の位置情報を取得できない場合であっても、自身の位置情報が分かれば、その位置情報から通信相手の位置情報を推定することができる。例えば、通信相手の位置は、自身の位置から第２通信手段１２の通信可能距離を半径とする円内と推定することができる。また、親用携帯通信装置１等が、受信する電波の方向から、発信元の方向を推定できる機能を有していれば、通信相手が存在する方向も推定できる。
【００４９】
群内端末装置の識別情報及び位置情報が取得されたら、ステップＳ１０８に進み、識別情報及び位置情報を取得した群内端末装置の制御手段１０は、取得した識別情報及び位置情報を、取得した時刻と対応付けて記憶手段１３に記憶させるか、第１通信手段１１を介してサーバー３へ送信する。位置情報を通信相手から取得できなかった場合、群内端末装置の制御手段１０は、少なくとも取得した識別情報を取得した時刻と対応付けて記憶手段１３に記憶させるか、第１通信手段１１を介してサーバー３へ送信する。この場合、上述したように、群内端末装置の制御手段１０は、自身の位置情報から通信相手の位置情報を推定し、識別情報を取得した時刻と対応付けて記憶手段１３に記憶させるか、第１通信手段１１を介してサーバー３へ送信してもよい。上述した各工程により、情報収集処理は終了する。なお、情報収集処理は、所定の通信開始時刻が到来する毎に、定期的に実行される。次に、操作支援処理を説明する。
【００５０】
図１０は、通信システムのサーバーが実行する捜索支援処理の各工程を示すフローチャートである。図１１は、通信システムの親用携帯通信装置が実行する捜索支援処理の各工程を示すフローチャートである。図１２は、通信システムの子供用携帯通信装置が実行する捜索支援処理の各工程を示すフローチャートである。図１３、図１４は、捜索支援処理の説明図である。図１５は、捜索依頼元に送信される捜索支援情報の概念図である。捜索支援処理は、図１に示す通信システム１００のサーバー３が、捜索依頼を受信したことをトリガーとして開始する。迷子等の捜索の場合は、捜索依頼は、例えば、親用携帯通信装置１からサーバー３に送信される。図１３に示す例では、親用携帯通信装置１Ｂが、これに対応する子供用携帯通信装置２ｂの捜索依頼ＳＤをサーバー３に送信している。本実施形態において、捜索依頼ＳＤは電子メールによるものであるが、操作手段１８に対する所定の操作や、音声によるものであってもよい。
【００５１】
［サーバーの捜索支援処理］
ここで説明するサーバー３の捜索支援処理は、図１に示すサーバー３の処理部３Ｃが実行し、収集した情報は記憶部３Ｍが記憶する。ステップＳ２０１において、サーバー３は、捜索依頼ＳＤがあったか否か、すなわち、捜索依頼ＳＤを受信したか否かを判定する。捜索依頼ＳＤを受信していないとサーバー３が判断した場合（ステップＳ２０１、Ｎｏ）、捜索支援処理は終了する。この場合、サーバー３が集団管理する複数の親用携帯通信装置１及び複数の子供用携帯通信装置２は、上述した情報収集処理を定期的に実行する。
【００５２】
捜索依頼ＳＤを受信したとサーバー３が判断した場合（ステップＳ２０１、Ｙｅｓ）、ステップＳ２０２へ進み、サーバー３は、捜索依頼設定をＯＮにする。この捜索依頼設定がＯＮである場合には、通信システム１００による迷子等の捜索の支援が実行される。次に、ステップＳ２０３へ進み、サーバー３は、集団管理している複数の親用携帯通信装置１（図１３に示す例では、１Ａ、１Ｃ、１Ｄ）に、捜索依頼ＳＤを送信する。捜索依頼ＳＤは、図１に示す通信制御装置４及び基地局５を介して送信される。親用携帯通信装置１は、図４に示す第１通信手段１１を介して捜索依頼ＳＤを取得する。
【００５３】
次に、ステップＳ２０４に進む。サーバー３は、図１４に示すように、集団管理している複数の親用携帯通信装置１（図１４に示す例では、１Ａ、１Ｃ、１Ｄ）、及びこれらに対応付けられている子供用携帯通信装置２（図１４に示す例では、２ａ、２ｃ、２ｄ）から、捜索依頼の対象となっている子供用携帯通信装置２ｂ（必要に応じて捜索対象という）についての情報（捜索対象情報）ＩＦを取得して、収集する。捜索対象についての情報は、親用携帯通信装置１や子供用携帯通信装置２から送信される情報であり、これらは記憶手段１３に蓄積されている、群内端末装置の情報（群内端末情報）を含む情報である。
【００５４】
群内端末情報は、上述した情報収集処理で収集され、それぞれの親用携帯通信装置１や子供用携帯通信装置２に蓄積されている、群内端末装置の情報（少なくとも識別情報をその取得時間と対応付けたもの）である。本実施形態において、群内端末情報は、群内端末装置の識別情報及び位置情報をこれらの取得時間と対応付けたものである。
【００５５】
群内端末情報は、情報収集処理において、親用携帯通信装置１や子供用携帯通信装置２が自身とは異なる親用又は子供用携帯通信装置と直接短距離無線通信することによって得られた前記異なる親用又は子供用携帯通信装置の識別情報や位置情報である。群内端末情報の中には、捜索対象の識別情報や位置情報等が含まれている場合もあり、また含まれていない場合もある。しかし、後者であっても、その群内端末情報を生成した親用又は子供用携帯通信装置は、第２通信手段１２の通信可能範囲内で捜索対象とは遭遇しなかったという情報が得られる。このため、群内端末情報に捜索対象の識別情報や位置情報等が含まれていないという情報も、捜索対象情報ＩＦとなる。したがって、捜索対象情報ＩＦは、群内端末情報及び群内端末情報に捜索対象の識別情報や位置情報等が含まれていないという情報の両方を含む。ステップＳ２０４において、捜索対象情報ＩＦを取得し、収集したサーバー３は、収集した捜索対象情報ＩＦから図１４に示す捜索支援情報ＩＦＳを作成して、捜索依頼元へ送信する。
【００５６】
サーバー３は、ステップＳ２０４において、収集した捜索対象情報ＩＦを捜索対象の装置ＩＤで検索して、捜索依頼ＳＤの対象となっている子供用携帯通信装置２ｂについての識別情報や位置情報、当該位置情報が取得された時間についての情報等を抽出する。なお、捜索対象情報ＩＦに、捜索対象についての識別情報や位置情報等が含まれていない場合でも、その捜索対象情報ＩＦを生成した親用又は子供用携帯通信装置が捜索対象とは遭遇しなかったという情報が得られる。
【００５７】
サーバー３は、図１５に示すような捜索支援情報ＩＦＳを作成し、捜索依頼元、すなわち、捜索依頼ＳＤを送信した親用携帯通信装置１Ｂに送信する。収集された捜索対象情報ＩＦから捜索対象についての識別情報や位置情報等がまったく得られなかった場合、すなわち、捜索対象情報ＩＦに捜索対象の識別情報や位置情報等が含まれていないという情報のみしか得られなかった場合、捜索支援情報ＩＦＳは、集団管理の範囲内において捜索対象の痕跡は発見できなかったというものになる。なお、捜索支援情報ＩＦＳ中のＩＤは、捜索対象である子供用携帯通信装置２ｂの装置ＩＤ（５１、図３参照）に対応する。サーバー３は、捜索依頼ＳＤを受信してから所定の時間が経過する毎に捜索支援情報ＩＦＳを作成してもよいし、所定量の情報が収集されてから捜索支援情報ＩＦＳを作成してもよい。
【００５８】
次に、ステップＳ２０５へ進み、サーバー３は、捜索支援処理の終了条件か否かを判定する。終了条件は、例えば、サーバー３が捜索依頼ＳＤを受信して所定時間が経過した場合としてもよいし、捜索対象が発見されたという情報をサーバー３が受信した場合としてもよいし、他の条件としてもよい。サーバー３が、捜索支援処理の終了条件は成立していないと判定した場合（ステップＳ２０５、Ｎｏ）、サーバー３は群内端末情報の収集と、捜索支援情報ＩＦＳの作成及び送信とを継続する。サーバー３が、捜索支援処理の終了条件は成立したと判定した場合（ステップＳ２０５、Ｙｅｓ）、ステップＳ２０６へ進み、捜索依頼設定をＯＦＦとして、この情報、すなわち、捜索支援処理を終了するという情報を、それぞれの親用携帯通信装置１Ａ、１Ｂ等に送信する。この捜索依頼設定がＯＦＦである場合には、通信システム１００による迷子等の捜索の支援が実行されず、上述した情報収集処理のみが実行される。次に、親用携帯通信装置１の捜索支援処理を説明する。
【００５９】
［親用携帯通信装置の捜索支援処理］
ここで説明する親用携帯通信装置１の捜索支援処理は、図４に示す親用携帯通信装置１の制御手段１０が実行する。ステップＳ３０１において、親用携帯通信装置１の制御手段１０は、上述したステップＳ２０３でサーバー３が送信した捜索依頼ＳＤに関する情報を受信して、取得したか否かを判定する。捜索依頼ＳＤに関する情報は、少なくとも捜索対象（この例では、子供用携帯通信装置２ｂ）の識別情報（例えば、装置ＩＤ）を含む。
【００６０】
制御手段１０が、捜索依頼ＳＤに関する情報を受信していないと判定した場合（ステップＳ３０１、Ｎｏ）、親用携帯通信装置１の捜索支援処理は終了する。制御手段１０が、図１３に示すように、捜索依頼ＳＤに関する情報を取得したと判定した場合（ステップＳ３０１、Ｙｅｓ）、ステップＳ３０２において、制御手段１０は、捜索依頼設定をＯＮにする。この捜索依頼設定は、親用携帯通信装置１に固有のものであり、これがＯＮである場合には、通信システム１００による迷子等の捜索の支援が実行される。なお、捜索依頼ＳＤに関する情報を取得した場合、制御手段１０は、スピーカ１５や表示手段１７に、その旨の報知をさせてもよい。これによって、親用携帯通信装置１の所有者は、捜索依頼ＳＤがあったことを知ることになり、自身も捜索に加わったり、捜索依頼元に直接情報を伝えたりすることができるので、未発見の迷子等の捜索効率が向上する。
【００６１】
次に、ステップＳ３０３へ進み、親用携帯通信装置１の制御手段１０は、捜索依頼ＳＤに関する情報を、自身に対応する子供用携帯通信装置２へ送信する。図１３に示す例では、親用携帯通信装置１Ａは子供用携帯通信装置２ａに、親用携帯通信装置１Ｄは子供用携帯通信装置２ｄに、親用携帯通信装置１Ｃは子供用携帯通信装置２ｃに、捜索依頼ＳＤに関する情報を送信する。その後、ステップＳ３０４へ進み、図１４に示す、それぞれの親用携帯通信装置１Ａ、１Ｃ、１Ｄの制御手段１０は、捜索依頼ＳＤに関する情報に基づいて、捜索対象の情報がそれぞれの記憶手段１３に蓄積されているか否かを判定する。
【００６２】
捜索対象の情報があると制御手段１０が判定した場合（ステップＳ３０４、Ｙｅｓ）、ステップＳ３０５へ進む。そして、そのような親用携帯通信装置１の制御手段１０は、記憶手段１３に蓄積されている捜索対象情報ＩＦを、図４に示す第１通信手段１１を介してサーバー３へ送信する（図１４参照）。この場合、捜索依頼ＳＤに関する情報（例えば、捜索対象の装置ＩＤ）に基づいて、記憶手段１３に蓄積されている群内端末情報から、捜索対象から得た情報を抽出して、捜索対象から得た情報のみをサーバー３へ送信してもよい。このようにすれば、図１０のステップＳ２０４において、サーバー３が捜索支援情報ＩＦＳを作成する際の負荷を軽減できる。また、捜索対象のみで構成される情報をサーバー３へ送信すれば、捜索対象情報ＩＦをサーバー３へ送信する場合と比較して情報量を低減できる。これによって、親用携帯通信装置１とサーバー３との通信時間も短くなり、回線の占有時間を短縮できるので好ましい。
【００６３】
ステップＳ３０４に戻り、捜索対象の情報がないと制御手段１０が判定した場合（ステップＳ３０４、Ｎｏ）、ステップＳ３０６へ進む。そして、そのような親用携帯通信装置１の制御手段１０は、捜索対象の情報がないという情報を捜索対象情報ＩＦとして、図４に示す第１通信手段１１を介してサーバー３へ送信する。このように、ステップＳ３０５又はステップＳ３０６で、捜索対象情報ＩＦが親用携帯通信装置１から送信される。
【００６４】
ステップＳ３０５又はステップＳ３０６が終了したら、ステップＳ３０７へ進む。ステップＳ３０７において、親用携帯通信装置１Ａ、１Ｃ等の制御手段１０は、サーバー３から捜索支援処理を終了する旨の情報を受信し、取得したか否かを判定する。制御手段１０が、捜索支援処理を終了する旨の情報を取得していないと判定した場合（ステップＳ３０７、Ｎｏ）、当該情報を受信し、取得するまで、ステップＳ３０４〜ステップＳ３０６を繰り返す。
【００６５】
親用携帯通信装置１は、後述するように、対応する子供用携帯通信装置２から送信される捜索対象情報ＩＦを受信することがある。親用携帯通信装置１が子供用携帯通信装置２から捜索対象情報ＩＦを受信した場合、制御手段１０は記憶手段１３に記憶させる。捜索支援処理を終了する旨の情報を親用携帯通信装置１が受信していない場合、ステップＳ３０４に戻るが、このとき、制御手段１０は、受信された捜索対象情報ＩＦが記憶手段１３に存在するか否かを判定し、以後のステップを実行することになる。
【００６６】
制御手段１０が、捜索支援処理を終了する旨の情報を受信したと判定した場合（ステップＳ３０７、Ｙｅｓ）、ステップＳ３０８へ進む。ステップＳ３０８において、捜索支援処理を終了する旨の情報を受信した親用携帯通信装置１の制御手段１０は、当該情報を、自身に対応する子供用携帯通信装置２に第１通信手段１１を介して送信する。そして、制御手段１０は、捜索依頼設定をＯＦＦにする。これによって、通信システム１００による迷子等の捜索の支援が実行されず、上述した情報収集処理のみが実行される。次に、子供用携帯通信装置２の捜索支援処理を説明する。
【００６７】
［子供用携帯通信装置の捜索支援処理］
ここで説明する子供用携帯通信装置２の捜索支援処理は、図５に示す子供用携帯通信装置２の制御手段１０が実行する。ステップＳ４０１において、子供用携帯通信装置２の制御手段１０は、上述したステップＳ３０３で親用携帯通信装置１が送信した捜索依頼ＳＤに関する情報を取得したか否かを判定する。捜索依頼ＳＤに関する情報は、少なくとも捜索対象（この例では、子供用携帯通信装置２ｂ）の識別情報（例えば、装置ＩＤ）を含む。
【００６８】
制御手段１０が、捜索依頼ＳＤに関する情報を取得していないと判定した場合（ステップＳ４０１、Ｎｏ）、子供用携帯通信装置２の捜索支援処理は終了する。制御手段１０が、図１３に示すように、捜索依頼ＳＤに関する情報を取得したと判定した場合（ステップＳ４０１、Ｙｅｓ）、ステップＳ４０２に進み、制御手段１０は、捜索依頼設定をＯＮにする。この捜索依頼設定は、子供用携帯通信装置２に固有のものであり、これがＯＮである場合には、通信システム１００による迷子等の捜索の支援が実行される。なお、捜索依頼ＳＤに関する情報を取得した場合、制御手段１０は、スピーカ１５や表示手段１７に、その旨の報知をさせてもよい点は上述した通りである。
【００６９】
次に、ステップＳ４０３に進み、子供用携帯通信装置２の制御手段１０は、記憶手段１３に蓄積されている群内端末情報、あるいは捜索対象の情報がないという情報、すなわち、捜索対象情報ＩＦを、自身に対応する親用携帯通信装置１又はサーバー３へ、第１通信手段１１を介して送信する（図１４参照）。捜索対象情報ＩＦを親用携帯通信装置１へ送信する場合、子供用携帯通信装置２とサーバー３との接続はないので、子供用携帯通信装置２のセキュリティはより高く保たれるので、好ましい。一方、サーバー３へ送信する場合、親用携帯通信装置１を介する必要はないので、サーバー３は、捜索対象情報ＩＦを迅速に取得できる。
【００７０】
この場合、ステップＳ４０１で受信し、取得した捜索依頼ＳＤに関する情報に基づいて、捜索対象から得た情報を、記憶手段１３に蓄積されている群内端末情報から抽出して、捜索対象から得た情報のみを親用携帯通信装置１又はサーバー３へ送信してもよい。この点は、親用携帯通信装置１の捜索支援処理で説明した通りである。子供用携帯通信装置２が、捜索対象情報ＩＦを直接サーバー３へ送信すれば、親用携帯通信装置１を介してサーバー３へ送信するよりも、親用携帯通信装置１の処理負荷が軽減するので好ましい。
【００７１】
次に、ステップＳ４０４へ進み、子供用携帯通信装置２ａ、２ｃ等の制御手段１０は、親用携帯通信装置１Ａ、１Ｂ等から捜索支援処理を終了する旨の情報を受信したか否かを判定する。制御手段１０が、捜索支援処理を終了する旨の情報を受信していないと判定した場合（ステップＳ４０４、Ｎｏ）、当該情報を受信するまで、ステップＳ４０３を繰り返す。
【００７２】
制御手段１０が、捜索支援処理を終了する旨の情報を受信したと判定した場合（ステップＳ４０４、Ｙｅｓ）、捜索支援処理を終了する旨の情報を受信した子供用携帯通信装置２の制御手段１０は、捜索依頼設定をＯＦＦにする。これによって、通信システム１００による迷子等の捜索の支援が実行されず、上述した情報収集処理のみが実行される。
【００７３】
本実施形態では、近距離通信により親用及び子供用携帯通信装置から取得した識別情報や位置情報等を、取得した時間と対応付けて蓄積する。そして、迷子等の捜索依頼があった場合には、複数の親用及び子供用携帯通信装置に蓄積された識別情報等を捜索対象情報としてサーバーが収集する。そして、サーバーが、収集された捜索対象情報から、捜索対象について検索することにより、捜索対象の識別情報や位置情報、当該位置情報が取得された時間情報等を抽出して、捜索支援情報を作成する。この捜索支援情報は、捜索対象の位置情報を時系列で知ることができるので、捜索対象がどのような軌跡をたどったかを知ることができる。
【００７４】
また、捜索対象情報を送信する際に、送信する親用あるいは子供用携帯通信装置の自身の識別情報を付加するようにすれば、捜索対象がどのような親用あるいは子供用携帯通信装置の近くにいたのかも知ることができる。さらに、自身の識別情報を付加すれば、捜索対象の位置情報がない場合でも、捜索対象の近くにあった親用あるいは子供用携帯通信装置の所有者から、その当時の状況を聴取することができる。これによって、捜索の手がかりを得ることもできる。さらに、本実施形態では、サーバーに、親用携帯通信装置に関する情報のみを記憶して集団管理し、親子関係の対応により、子供用携帯通信装置を間接的に集団管理する。これによって、子供の個人情報の漏洩をできる限り低減することができる。なお、将来、ペットの首輪に通信機能を搭載したものが登場すると、未発見の迷子犬や迷子猫等の捜索も、本実施形態と同様の手法で捜索することができる。
【００７５】
（変形例）
図１６は、本実施形態の変形例に係る捜索支援処理の説明図である。図１７は、捜索対象情報あるいは捜索依頼元に送信される捜索支援情報の概念図である。本変形例に係る捜索支援処理は、親用携帯通信装置１及び子供用携帯通信装置２が、捜索対象情報ＩＦを送信した後に、それぞれ、捜索対象との通信を試みる。そして、捜索対象との通信が確立できたら、捜索対象の少なくとも識別情報を取得して、捜索対象情報ＩＦとして送信する。
【００７６】
図１６に示す例において、捜索依頼ＳＤに関する情報を受信し、取得した親用携帯通信装置１及び子供用携帯通信装置２は、捜索対象情報ＩＦをサーバー３へ送信した後に、それぞれの第２通信手段１２を用いて短距離無線通信を実行する。短距離無線通信は、上述した情報収集処理と同様に、定期的に、一定時間実行すればよい。
【００７７】
この例においては、捜索対象である子供用携帯通信装置２ｂとの通信が確立できているのは、親用携帯通信装置１Ｄである。したがって、親用携帯通信装置１Ｄは、第２通信手段１２を介して、子供用携帯通信装置２ｂの少なくとも識別情報（本変形例では、識別情報及び位置情報）を取得する。
【００７８】
その後、親用携帯通信装置１Ｄは、取得した子供用携帯通信装置２ｂの識別情報等を、図１６に示すような捜索対象情報ＩＦとしてサーバー３へ送信する。なお、例えば、子供用携帯通信装置２ｃ等が捜索対象との通信を確立し、捜索対象の識別情報等を捜索対象情報ＩＦとして送信する場合、親用携帯通信装置１Ｃを介して、又は直接サーバー３へ送信する。
【００７９】
図１６に示す例において、親用携帯通信装置１Ｄから捜索対象情報ＩＦを取得したサーバー３は、これを用いて、捜索支援情報ＩＦＳを作成し、捜索依頼元である親用携帯通信装置１Ｂに送信する。サーバー３が受信した捜索対象情報ＩＦが単一である場合、図１７に示すように、捜索支援情報ＩＦＳは、捜索対象情報ＩＦと同一になる。
【００８０】
本変形例において、捜索対象である子供用携帯通信装置２ｂとの通信が確立されなかった子供用携帯通信装置２ｄや親用携帯通信装置１Ｃ等については、通信が確立された対象との間で情報のやり取りをする必要はない。また、情報をやり取りしても、それをサーバー３へ送信する必要もない。なお、図１６では、捜索対象である子供用携帯通信装置２ｂとの通信が確立されなかった子供用携帯通信装置２ｄや親用携帯通信装置１Ｃ等は、親用携帯通信装置１Ｄやサーバー３に捜索対象情報ＩＦを送信していない。さらに、親用携帯通信装置や子供用携帯通信装置の短距離無線通信の通信対象を、捜索対象である子供用携帯通信装置２ｂのみとしてもよい。
【００８１】
本変形例は、親用携帯通信装置１や子供用携帯通信装置２の記憶手段１３に蓄積された捜索対象情報ＩＦがサーバー３等へ送信された後においても、親用携帯通信装置１及び子供用携帯通信装置２が捜索対象とのアクセスを試みる。これによって、未発見の迷子等の捜索効率が向上するとともに、より確実に未発見の迷子等の捜索を遂行することができる。また、サーバー３へ送信される捜索対象情報ＩＦは、ある程度の期間、蓄積された情報ではないので、記憶手段１３に蓄積された捜索対象情報ＩＦを送信する場合と比較して情報量を低減できる。これによって、親用携帯通信装置１とサーバー３との通信時間も短くなり、回線の占有時間を短縮できるので好ましい。また、捜索依頼ＳＤに関する情報に基づいて、第２通信手段１２を用いた近距離通信の通信対象を特定できるので、通信対象が発見できない場合には、情報の取得を実行しないでもよい。これによって、電力消費をさらに抑制できる。
【００８２】
（実施形態２）
図１８は、親用携帯通信装置が実行する、実施形態２に係る捜索支援処理の各工程を示すフローチャートである。図１９は、子供用携帯通信装置が実行する、実施形態２に係る捜索支援処理の各工程を示すフローチャートである。本実施形態に係る捜索支援処理は、情報収集処理を実行せず、捜索依頼ＳＤに関する情報を受信し、取得した親用携帯通信装置１及び子供用携帯通信装置２は、それぞれ、捜索対象との通信を試みる。そして、捜索対象との通信が確立できたら、捜索対象の少なくとも識別情報を取得して、捜索対象情報ＩＦとして送信する。図１８、図１９、図１６、図１７等を用いて、本実施形態に係る捜索支援処理を説明する。本実施形態に係る捜索支援処理において、サーバー３の捜索支援処理は実施形態１と同様である。
【００８３】
［親用携帯通信装置の捜索支援処理］
この捜索支援処理は、図４に示す親用携帯通信装置１の制御手段１０が実行する。親用携帯通信装置の捜索支援処理のステップＳ５０１〜ステップＳ５０３は、実施形態１に係る親用携帯通信装置の捜索支援処理のステップＳ３０１〜ステップＳ３０３と同様である。ステップＳ５０４において、図１６に示す親用携帯通信装置１Ａ、１Ｃ等の制御手段１０は、それぞれ第２通信手段１２を用いて捜索対象である子供用携帯通信装置２ｂとの通信を試みる。
【００８４】
ステップＳ５０５に進み、親用携帯通信装置１Ａ、１Ｃ等の制御手段１０は、それぞれ子供用携帯通信装置２ｂとの通信を確立したか否かを判定する。制御手段１０が、子供用携帯通信装置２ｂとの通信を確立したと判定した場合（ステップＳ５０５、Ｙｅｓ）、ステップＳ５０６へ進む。そして、制御手段１０は、第２通信手段１２を介して、子供用携帯通信装置２ｂの少なくとも識別情報（本実施形態では、識別情報及び位置情報）を取得する。図１６に示す例では、親用携帯通信装置１Ｄが、子供用携帯通信装置２ｂとの通信を確立しているので、親用携帯通信装置１Ｄの制御手段１０が、子供用携帯通信装置２ｂの少なくとも識別情報（本実施形態では、識別情報及び位置情報）を取得する。そして、ステップＳ５０７へ進み、制御手段１０は、取得した子供用携帯通信装置２ｂの情報を捜索対象情報ＩＦとしてサーバー３へ送信する。
【００８５】
次に、ステップＳ５０５へ戻り、制御手段１０が、子供用携帯通信装置２ｂとの通信を確立していないと判定した場合（ステップＳ５０５、Ｎｏ）、ステップＳ５０８へ進む。そして、そのような親用携帯通信装置の制御手段１０は、捜索対象と通信を確立できないという情報を捜索対象情報ＩＦとして、図４、図５に示す第１通信手段１１を介してサーバー３へ送信する。このように、ステップＳ５０６及びステップＳ５０７、あるいはステップＳ５０８で、捜索対象情報ＩＦがサーバー３へ送信される。ステップＳ５０７又はステップＳ５０８が終了したら、ステップＳ５０９へ進む。ステップＳ５０９、ステップＳ５１０は、実施形態１に係る親用携帯通信装置の捜索支援処理のステップＳ３０７、ステップＳ３０８と基本的に同様であるが、ステップＳ５０９において、制御手段１０が、捜索支援処理を終了する旨の情報を取得していないと判定した場合（ステップＳ５０９、Ｎｏ）、ステップＳ５０４〜ステップＳ５０８が繰り返される。次に、子供用携帯通信装置の捜索支援処理を説明する。
【００８６】
［子供用携帯通信装置の捜索支援処理］
子供用携帯通信装置の捜索支援処理は、図５に示す子供用携帯通信装置２の制御手段１０が実行する。ステップＳ６０１、ステップＳ６０２は、実施形態１に係る子供用携帯通信装置の捜索支援処理のステップＳ４０１、ステップＳ４０２と同様である。ステップＳ６０３において、図１６に示す子供用携帯通信装置２ａ、２ｃ等の制御手段１０は、それぞれ第２通信手段１２を用いて捜索対象である子供用携帯通信装置２ｂとの通信を試みる。
【００８７】
そして、ステップＳ６０４に進み、子供用携帯通信装置２ａ、２ｃ等の制御手段１０は、それぞれ子供用携帯通信装置２ｂとの通信を確立したか否かを判定する。制御手段１０が、子供用携帯通信装置２ｂとの通信を確立したと判定した場合（ステップＳ６０４、Ｙｅｓ）、ステップＳ６０５へ進む。そして、制御手段１０は、第２通信手段１２を介して、子供用携帯通信装置２ｂの少なくとも識別情報（本実施形態では、識別情報及び位置情報）を取得する。そして、ステップＳ６０６へ進み、制御手段１０は、取得した子供用携帯通信装置２ｂの情報を捜索対象情報ＩＦとして親用携帯通信装置１又はサーバー３へ送信する。
【００８８】
次に、ステップＳ６０４へ戻り、制御手段１０が、子供用携帯通信装置２ｂとの通信を確立していないと判定した場合（ステップＳ６０４、Ｎｏ）、ステップＳ６０７へ進む。そして、そのような子供用携帯通信装置の制御手段１０は、捜索対象と通信を確立できないという情報を捜索対象情報ＩＦとして、図４、図５に示す第１通信手段１１を介して対応する親用携帯通信装置１又はサーバー３へ送信する。このように、ステップＳ６０５及びステップＳ６０６、あるいはステップＳ６０７で、捜索対象情報ＩＦがサーバー３へ送信される。ステップＳ６０６又はステップＳ６０７が終了したら、ステップＳ６０８へ進む。ステップＳ６０８は、実施形態１に係る親用携帯通信装置の捜索支援処理のステップＳ４０４と基本的に同様であるが、ステップＳ６０８において、制御手段１０が、捜索支援処理を終了する旨の情報を取得していないと判定した場合（ステップＳ６０８、Ｎｏ）には、Ｎｏと判定された場合には、ステップＳ６０３〜ステップＳ６０７が繰り返される。
【００８９】
本実施形態では、捜索依頼ＳＤが発生してから、第２通信手段１２を用いた近距離通信により、捜索対象と通信を試み、捜索対象との通信が確立したら、捜索対象の識別情報等を取得して、サーバー３へ送信する。これによって、情報収集処理が不要になるので、電力消費を大幅に抑制することができる。また、捜索依頼ＳＤに関する情報に基づいて、第２通信手段１２を用いた近距離通信の通信対象を特定できるので、通信対象が発見できない場合には、情報の取得を実行しないでよい。これによって、電力消費をさらに抑制できる。さらに、サーバー３へ送信される捜索対象情報ＩＦは、ある程度の期間、蓄積された情報ではないので、実施形態１のように、記憶手段１３に蓄積された捜索対象情報ＩＦを送信する場合と比較して情報量を低減できる。これによって、親用携帯通信装置１とサーバー３との通信時間も短くなり、回線の占有時間を短縮できるので好ましい。
【産業上の利用可能性】
【００９０】
以上のように、本発明に係る通信システム及び携帯通信装置、並びに通信システム用サーバーは、未発見の迷子等の捜索に有用である。
【符号の説明】
【００９１】
１、１Ａ、１Ｂ、１Ｃ、１Ｄ  親用携帯通信装置
２、２ａ、２ｂ、２ｃ、２ｄ  子供用携帯通信装置
３  サーバー
３Ｃ  処理部
３Ｍ  記憶部
３Ｉ  入出力部
４  通信制御装置
５  基地局
５Ｃ  基準時刻生成手段
６  情報テーブル
１０  制御手段
１１  第１通信手段
１２  第２通信手段
１３  記憶手段
１９  位置情報検出手段
１００  通信システム
【図１】
2011154571.tif 000003
【図２】
2011154571.tif 000004
【図３】
2011154571.tif 000005
【図４】
2011154571.tif 000006
【図５】
2011154571.tif 000007
【図６】
2011154571.tif 000008
【図７】
2011154571.tif 000009
【図８】
2011154571.tif 000010
【図９】
2011154571.tif 000011
【図１０】
2011154571.tif 000012
【図１１】
2011154571.tif 000013
【図１２】
2011154571.tif 000014
【図１３】
2011154571.tif 000015
【図１４】
2011154571.tif 000016
【図１５】
2011154571.tif 000017
【図１６】
2011154571.tif 000018
【図１７】
2011154571.tif 000019
【図１８】
2011154571.tif 000020
【図１９】
2011154571.tif 000021